(57)【特許請求の範囲】
【請求項１】
瓦棒葺屋根の瓦棒に対して取付固定し得るように構成した長尺な基体の上部に、融雪用配管を係止し得る配管係止部を、この基体の長さ方向に間隔を置いて複数並設状態に設け、この長尺な基体は、長手方向の両側縁部を上方へ略直角に折曲形成し、この両側の折曲片を前記瓦棒に当接させてこの基体を瓦棒に嵌合係止し得るように構成し、この基体を瓦棒に嵌合係止した際、この基体の下面と、瓦棒上部の瓦棒長さ方向に形成されている凹条部上面との間に空間が形成されるように基体の長手方向の中央部を上方へ凸形に折曲形成したことを特徴とする融雪用配管設置具。
【請求項２】
瓦棒葺屋根の瓦棒に対して取付固定し得るように構成した長尺な基体の上部に、融雪用配管を係止し得る配管係止部を、この基体の長さ方向に間隔を置いて複数並設状態に設け、この長尺な基体は、長手方向の両側縁部を下方へ略直角に折曲形成して、この両側の折曲片を瓦棒の両端部外側に近接状態に位置させてこの基体を瓦棒に被嵌し得るように構成すると共に、この基体を瓦棒に上方から被嵌した際、この基体の下面と、瓦棒上部の瓦棒長さ方向に形成されている凹条部上面との間に空間が形成される構成としたことを特徴とする融雪用配管設置具。
【請求項３】
瓦棒葺屋根に複数並設状態に設けられる前記瓦棒の数箇所に前記基体を固定し、この数箇所に固定した複数の基体の前記配管係止部間に融雪用配管を架設状態に係止し得るように構成したことを特徴とする請求項１，２のいずれか１項に記載の融雪用配管設置具。
【請求項４】
前記基体に、この基体を前記瓦棒の凹条部に嵌合した状態で基体と瓦棒とを被嵌固定する固定部を設けたことを特徴とする請求項１記載の融雪用配管設置具。
【請求項５】
略Ｕ字状の係合部に前記融雪用配管を圧入係止し得るように構成した前記配管係止部を採用したことを特徴とする請求項１〜４のいずれか１項に記載の融雪用配管設置具。
【発明の詳細な説明】
【０００１】
【発明の属する技術分野】
本発明は、屋根上に融雪用配管を設置するための融雪用配管設置具に関するものである。
【０００２】
【従来の技術及び発明が解決しようとする課題】
従来から、屋根上の略全面に渡って配管し、この配管に例えばお湯を循環させることでこの配管を介して伝導する湯熱によって屋根上の積雪を融雪する融雪屋根構造が実施されている。
【０００３】
この融雪屋根構造の屋根上への配管方法について説明すると、従来、この融雪用配管設置専用の設置金具などはなく、例えば、屋根上に多数の雪止アングル固定金具を設置して、このアングル固定金具に直接融雪用配管を結束して取り付けたり，Ｕボルトなどを利用して取り付けたりするか、或いはアングル固定金具にアングル材やチャンネル材を取り付けてこのアングル材やチャンネル材に融雪用配管を結束して取り付けたり，Ｕボルトなどを利用して取り付けたりすることで固定している。
【０００４】
しかしながら、融雪用配管を屋根の略全面に敷設するためには、非常に多くのアングル固定金具が必要となり、この多数のアングル固定金具を配管位置に対応させて屋根上に取り付けすることは非常に手間も時間がかかる作業となってしまっていた。
【０００５】
本発明は、このような現状に鑑み、瓦棒を利用して屋根上に簡易に取り付け固定することができ、取り付けに要する作業時間が著しく短縮することになる簡易構造の画期的な融雪用配管設置具を提供するものである。
【０００６】
【課題を解決するための手段】
添付図面を参照して本発明の要旨を説明する。
【０００７】
瓦棒葺屋根１の瓦棒２に対して取付固定し得るように構成した長尺な基体３の上部に、融雪用配管４を係止し得る配管係止部５を、この基体３の長さ方向に間隔を置いて複数並設状態に設け、この長尺な基体３は、長手方向の両側縁部を上方へ略直角に折曲形成し、この両側の折曲片を前記瓦棒２に当接させてこの基体３を瓦棒２に嵌合係止し得るように構成し、この基体３を瓦棒２に嵌合係止した際、この基体３の下面と、瓦棒２上部の瓦棒２長さ方向に形成されている凹条部２Ａ上面との間に空間が形成されるように基体３の長手方向の中央部を上方へ凸形に折曲形成したことを特徴とする融雪用配管設置具に係るものである。
【０００８】
また、瓦棒葺屋根１の瓦棒２に対して取付固定し得るように構成した長尺な基体３の上部に、融雪用配管４を係止し得る配管係止部５を、この基体３の長さ方向に間隔を置いて複数並設状態に設け、この長尺な基体３は、長手方向の両側縁部を下方へ略直角に折曲形成して、この両側の折曲片を瓦棒２の両端部外側に近接状態に位置させてこの基体３を瓦棒２に被嵌し得るように構成すると共に、この基体３を瓦棒２に上方から被嵌した際、この基体３の下面と、瓦棒２上部の瓦棒２長さ方向に形成されている凹条部２Ａ上面との間に空間が形成される構成としたことを特徴とする融雪用配管設置具に係るものである。
【０００９】
また、瓦棒葺屋根１に複数並設状態に設けられる前記瓦棒２の数箇所に前記基体３を固定し、この数箇所に固定した複数の基体３の前記配管係止部５間に融雪用配管４を架設状態に係止し得るように構成したことを特徴とする請求項１，２のいずれか１項に記載の融雪用配管設置具に係るものである。
【００１０】
また、前記基体３に、この基体３を前記瓦棒２の凹条部２Ａに嵌合した状態で基体３と瓦棒２とを被嵌固定する固定部６を設けたことを特徴とする請求項１記載の融雪用配管設置具に係るものである。
【００１１】
また、略Ｕ字状の係合部５Ａに前記融雪用配管４を圧入係止し得るように構成した前記配管係止部５を採用したことを特徴とする請求項１〜４のいずれか１項に記載の融雪用配管設置具に係るものである。
【００１２】
【発明の実施の形態】
好適と考える本発明の実施の形態（発明をどのように実施するか）を、図面に基づいてその作用効果を示して簡単に説明する。
【００１３】
瓦棒葺屋根１の瓦棒２に対して長尺な基体３を取付固定し、この基体３上部の配管係止部５に融雪用配管４を係止して屋根１上に融雪用配管４を設置する。
【００１４】
具体的には、瓦棒葺屋根１に複数並設状態に設けられる前記瓦棒２の数箇所に前記基体３を固定し、この数箇所に固定された複数の基体３の前記配管係止部５間に融雪用配管４を架設状態に係止することで、屋根１の略全面に融雪用配管４を敷設状態に設置することができる。
【００１５】
従って、本発明によれば、従来のように屋根上に配管位置に対応させて多数のアングル固定金具を固定せずとも、単に、屋根１上の瓦棒２に沿って基体３を固定するだけで本設置具の設置作業が終了するため、屋根上への取付作業が簡易で作業時間の短縮化を実現できることになり、しかもこの基体３には配管係止部５が複数並設状態に設けられているため、配管位置調整も容易にできるし、本設置具一つで一本の融雪用配管４を複数回支持（係止）することも複数の融雪用配管４を支持することも可能で、極めて配管支持性能に秀れることとなり、その上本発明は、単に瓦棒２に取付固定できる基体３の上部に配管係止部５を複数並設状態に設けるだけで構成できるため、この構成は簡易に設計実現可能な構成であり、量産性に秀れ安価な製品を提供可能となる極めて実用性に秀れた画期的な融雪用配管設置具となる。
【００１６】
また、例えば、前記長尺な基体３は、前記瓦棒２上部の瓦棒２長さ方向に形成されている凹条部２Ａに嵌合係止し得るように構成すれば、基体３を瓦棒２に対して一層簡単に取付固定可能となり、一層実用的となる。
【００１７】
また、例えば、前記基体３に、この基体３を前記瓦棒２の凹条部２Ａに嵌合した状態で基体３と瓦棒２とを被嵌固定する固定部６を設ければ、基体３を瓦棒２に一層確固に固定できるし、取付作業も単に瓦棒２に対して基体３を設置した状態でこの基体３に固定部６を被嵌固定するだけで良いため、作業性にも秀れるなど、一層実用的となる。
【００１８】
また、例えば、略Ｕ字状の係合部５Ａに前記融雪用配管４を圧入係止し得るように構成した前記配管係止部５を採用すれば、単に融雪用配管４を係合部５Ａに圧入係止するだけの所謂ワンタッチ操作で基体３に対して融雪用配管４を固定できるため、従来のようにアングル固定金具やこのアングル固定金具に固定した雪止アングルに対して融雪用配管を結束したりＵボルトを使用して取り付けする場合と比べると作業性が著しく向上して作業時間が一層短縮することになり、一層実用的となる。
【００１９】
【実施例】
本発明の具体的な実施例について図面に基づいて説明する。
【００２０】
本実施例は、瓦棒葺屋根１の瓦棒２に対して取付固定し得るように構成した長尺な基体３の上部に、融雪用配管４を係止し得る配管係止部５を、この基体３の長さ方向に間隔を置いて複数並設状態に設けている。
【００２１】
具体的に説明すると、基体３は、金属製（例えばステンレス製）の帯板体により構成している。また、この帯板状の基体３の長手方向の左右両側縁を上方へ略直角に立ち上げ折曲し、更にこの帯板体の長手方向の中央部を上方へ凸形に折曲形成した構成としている。
【００２２】
また、この長尺な基体３は、前記瓦棒２上部の瓦棒２長さ方向に形成されている凹条部２Ａに嵌合係止し得るように構成している。
【００２３】
具体的に説明すると、図２，図３に示すように、瓦棒２の上部に装着されているキャップ20の上面の凹条部２Ａ内に、基体３の下面部を当接させ、且つ左右の立ち上がり片の外面をキャップ20の立ち上がり壁面に当接させて安定的に嵌合（嵌入）係止し得るようにこの基体３の左右幅寸法を設定構成している。
【００２４】
従って、この瓦棒２上部の瓦棒２長さ方向に形成されている凹条部２Ａに基体３を簡単に嵌入して安定的に設置できるように構成している。
【００２５】
また、この長尺な基体３の中央の前記凸形部には、その長さ方向に所定間隔を置いて、ボルトを採用した止着具７（以下、ボルト７と称す。）を挿通可能な挿通孔８を貫通形成している。更に詳しくは、基体３の長さ方向に、１０ｃｍ間隔毎に二箇所ずつの挿通孔８を形成している。
【００２６】
尚、本実施例では、基体３の中央に形成された前記凸形部の下方部分で挿通孔８に下方から差し込んだボルト７の頭部を収容するための空隙を確保する構成としているが、一方でこの基体３の凸形部により基体３を瓦棒２上に設置した時には基体３の凸形部の裏面と瓦棒２のキャップ20上面（凹条部２Ａ上面）との間には空間が形成されることになり、この空間によって良好な排水性と通気による乾燥効果とが得られることにもなる構成としている。
【００２７】
配管係止部５は、金属製の板材を略Ｕ字状に折曲形成したフック体により構成し、この略Ｕ字状の係合部５Ａに融雪用配管４を掛止支承し得るように構成している。また、このフック状の配管係止部５は、図４に示すように、開口部分の幅を融雪用配管４の直径幅より狭くして前記融雪用配管４を係合部５Ａに圧入係止し得るように構成している。
【００２８】
従って、圧入係止による所謂ワンタッチ操作で融雪用配管４を係止し得る配管係止部５を構成している。
【００２９】
また、この配管係止部５は、基体３に並設形成した複数の前記挿通孔８間の略中間部分となる位置（複数位置）に溶接などの止着手段により止着した構成としている。
【００３０】
尚、図１では、挿通孔８間の略中間部分の全てに配管係止部５を設けた場合、即ち１０ｃｍ間隔毎に配管係止部５を設けた場合を示し、図５では、挿通孔８間の略中間部分に一つ置きに配管係止部５を設けた場合、即ち２０ｃｍ間隔毎に配管係止部５を設けた場合を示しているが、並設する挿通孔８間のピッチを異ならせることなどによって、例えば配管係止部５の間隔を１２ｃｍや１５ｃｍやその他の並設間隔に設定しても良い。このように配管係止部５の並設間隔の異なる数種類の融雪用配管設置具を使い分けて屋根１上に融雪用配管４を適切な敷設状態に設置することができるように構成している。
【００３１】
本実施例では、前記基体３に、この基体３を前記瓦棒２の凹条部２Ａに嵌合した状態で基体３と瓦棒２とを被嵌固定する固定部６を設けている。
【００３２】
具体的に説明すると、固定部６は、図１〜図３に示すように、断面コ字形の板材により構成し、この固定部６の左右の遊離両先端部を内側へ略直角に折曲して、この左右夫々の先端折曲部を瓦棒２のキャップ20の上部左右の巻き込み係止部２Ｂに下方から係止して固定部６を上方へ抜け止め状態とする係止片６Ａに形成している。
【００３３】
また、この固定部６の左右の遊離両板部には、ボルトなどの止着具12（以下、ボルト12と称す）を貫通状態に装着し得る止着具通し孔６Ｂを形成している。
【００３４】
この固定部６と前記基体３との固定構造について説明すると、基体３に取付部材９を設け、この取付部材９を介して前記止着具12により固定部６を基体３に固定する構成としている。
【００３５】
具体的に説明すると、取付部材９は、前記固定部６内に収まる大きさの断面コ字形の板材により構成し、この取付部材９の中間板面には前記貫通孔８に対応する合わせ孔９Ａを設けている。そして、この取付部材９の中間板面を基体３の上面部（中央凸形部の上面）に当接係止すると共に、合わせ孔９Ａと挿通孔８の位置を合わせ、この挿通孔８と合わせ孔９Ａとに基体３の下方から前記ボルト７を挿通し、このボルト７の突出先端にナットを採用した締付具10を螺着することで基体３上に取付部材９を固定している。
【００３６】
また、この取付部材９には、左右の遊離立ち上がり片の夫々に貫通孔９Ｂを形成し、この左右の貫通孔９Ｂに前記ボルト12を貫通装着し得るように構成している。
【００３７】
従って、図２に示すように、前記瓦棒２に基体３を嵌合係止し、この基体３の取付部材９に上方から前記固定部６を被嵌して係止片６Ａを巻き込み係止部２Ｂに下方から係止した上、図３に示すように、取付部材９の貫通孔９Ｂと固定部６の止着具通し孔６Ｂとの位置を合わせてボルト12を貫通状態に通し、このボルト12先端にナットを採用した締付具13（以下、ナット13と称す）を螺着することで、取付部材９を介して基体３に固定部６を取付固定する構成としている。
【００３８】
また、ナット13を締付すると、徐々に固定部６の左右の遊離両端間が狭まり、これにより係止片６Ａが瓦棒２の巻き込み係止部２Ｂに下方から係止して、この固定部６が上方へ抜け止め状態となり、結果固定部６により基体３が瓦棒２に固定される構成としている。
【００３９】
よって、単に、基体３を瓦棒２に嵌合係止して基体３の取付部材９上に固定部６を被嵌した上、ボルト12とナット13とを締付螺動作動させるだけの操作で、本実施例の融雪用配管設置具は屋根１に取付固定できる構成としている。即ち、屋根形状に合わせた特別な加工などは全く不要で、融雪用配管４の設置工事を極めて円滑に行うことができる。
【００４０】
また、本実施例では、前記取付部材９を、長尺な基体３の両端部寄り位置に取付固定し、この両端部寄り二箇所での固定により基体３を瓦棒２に対して安定的に固定できるように構成している。
【００４１】
次に、本実施例の具体的な使用方法について説明する。
【００４２】
瓦棒葺屋根１に屋根１傾斜方向に沿った長さを有し、且つ屋根１横方向に複数並設状態に設けられる前記瓦棒２の数箇所に、前述の取付方法によって固定部６により前記基体３を複数固定し、この複数の基体３の前記配管係止部５間に融雪用配管４を架設状態に係止することで、屋根１の略全面に融雪用配管４を敷設状態に設置する。
【００４３】
この際、前記取付部材９は、取付部材９を取り付けする前記挿通孔８の位置を変更することで本実施例においては１０ｃｍ間隔毎に基体３の所望の位置に移動可能であるため、基体３の長さを屋根１の瓦棒２の長さに合わせて必要な長さに切断することができ、不要な部分を電動工具などで切断するだけで、簡単に基体３の長さを屋根１の長さ（瓦棒２の長さ）に合わせることができる。
【００４４】
また、基体３に複数並設状態にして配管係止部５を設けるから、一つの基体３に一本の融雪用配管４を複数回係止させることも、複数の融雪配管４を係止させることもでき、更に、例えば配管係止部５を１０ｃｍ間隔毎に設けた図１に示す本設置具と、２０ｃｍ間隔毎に設けた図５に示す本設置具とを使い分けることで、屋根１上の任意の位置で融雪用配管４の並設ピッチを細かくして融雪能力を高めることも、最終的に偶数列配管となすこの融雪用配管４を偶数列に配列設置することの調整も容易にできることとなる。
【００４５】
また、ボイラーに接続され，瓦棒２と略平行に設置されるメイン管14（行き・戻り）と、瓦棒２と略垂直に設置される融雪用配管４とを接続管11により接続する配管においても、例えば、配管係止部５を１０ｃｍ間隔毎に設けた基体３に２０ｃｍ間隔で融雪用配管４を設置するようにしておけば、図８に示すように、融雪用配管４が係止していない箇所の配管係止部５に接続管11を支持係止することも容易にできることとなる。
【００４６】
また、融雪用配管４は、融雪運転時（加熱時）と休止時の温度差や、夏季の温度上昇により伸び縮みし、これを固定すると、融雪用配管４や屋根材に損傷を与えてしまうことになるが、本実施例では、圧入係止構造のフック（配管係止部５）を採用したため、伸び縮みする融雪用配管４がフックの係合部５Ａ内をスライド移動するので上記のような不具合は生じない。
【００４７】
従って、従来のように屋根上に多数のアングル固定金具を固定するような手間がなく、屋根１上の瓦棒２に沿って基体３を固定するだけで本設置具の設置作業が終了することになり、しかも融雪用配管４を従来のように結束して固定する作業は不要で、設置した基体３上部に複数並設状態に設けられる配管係止部５に単に融雪用配管４を係止するだけで融雪用配管４を屋根上に配設できるので、極めて作業性に秀れ、実用性に秀れた画期的な融雪用配管設置具となる。
【００４８】
尚、これまでは、基体３を瓦棒２の凹条部２Ａに嵌入固定し得るように構成した実施例（第一実施例）を示したが、図９〜図１１では、基体３を瓦棒２に対して被嵌固定し得るように構成した第二実施例を示している。
【００４９】
この第二実施例について具体的に説明すると、基体３の横幅を前記第一実施例の基体３の横幅よりも広く設定し、この広幅の基体３の長手方向の両端縁部を下方へ垂下折曲した構成としている。
【００５０】
また、この基体３を瓦棒２に対して上方から被嵌すると、両端垂下片部が瓦棒２の両端部の巻き込み係止部２Ｂの外側に近接状態に位置するように構成し、この状態で前記固定部６により固定する構成としている。
【００５１】
また、本実施例においても、基体３設置時に基体３の裏面が瓦棒２のキャップ20上面（凹条部２Ａ上面）に触れず、空間が形成されるように構成し、この空間により排水と通気による乾燥効果とが向上する構成としている。
【００５２】
また、本実施例では、２０ｃｍ間隔毎に配管係止部５を設けた場合を示している。
【００５３】
その他の構成は前記第一実施例と同様である。
【００５４】
尚、本発明は、本実施例に限られるものではなく、各構成要件の具体的構成は適宜設計し得るものである。
【００５５】
【発明の効果】
本発明は上述のように構成したから、従来のように屋根上に配管位置に対応させて多数のアングル固定金具を固定せずとも、単に、屋根上の瓦棒に沿って基体を固定（嵌合係止若しくは被嵌）するだけで本設置具の設置作業が終了するため、屋根上への取付作業が簡易で作業時間が著しく短縮化することになり、しかもこの基体には配管係止部が複数並設状態に設けられているため、配管位置調整も容易にできるし、本設置具一つで一本の融雪用配管を複数回支持（係止）することも複数の融雪用配管を支持することも可能で、極めて配管支持性能に秀れることとなり、その上本発明は、単に瓦棒に取付固定できる基体の上部に配管係止部を複数並設状態に設けるだけで構成できるため、この構成は簡易に設計実現可能な構成であり、量産性に秀れ安価な製品を提供可能となる極めて実用性に秀れた画期的な融雪用配管設置具となる。
【００５６】
また、本発明では、基体を瓦棒に嵌合係止若しくは被嵌した際、この基体の下面と瓦棒上部の凹条部上面との間に空間が形成されるため、この空間により良好な排水性と通気による乾燥効果とが得られることになる。
【００５７】
また、請求項３記載の発明においては、屋根上の広範囲に簡易に融雪用配管を設置することができる極めて実用性に秀れた融雪用配管設置具となる。
【００５８】
また、請求項４記載の発明においては、基体を瓦棒に一層確固に固定できるし、取付作業も単に瓦棒に対して基体を設置した状態でこの基体に固定部を被嵌固定するだけで良いため、作業性にも秀れるなど、一層実用性に秀れた融雪用配管設置具となる。
【００５９】
また、請求項５記載の発明においては、単に融雪用配管を係合部に圧入係止するだけの所謂ワンタッチ操作で基体に対して融雪用配管を固定できる極めて作業性に秀れ実用性に秀れた融雪用配管設置具となる。
【図面の簡単な説明】
【図１】第一実施例を示す固定部を分解した説明斜視図である。
【図２】第一実施例の瓦棒に基体を嵌入係止し、固定部を被嵌する前の状態を示す配管係止部を省略した部分拡大説明図である。
【図３】第一実施例の瓦棒に対する固定状態を示す配管係止部を省略した部分拡大説明図である。
【図４】第一実施例の配管係止部を示す部分拡大説明図である。
【図５】図１よりも配管係止部の並設間隔を広くした第一実施例を示す説明斜視図である。
【図６】第一実施例の基体を瓦棒に固定した状態を示す説明斜視図である。
【図７】第一実施例の使用状態を示す説明斜視図である。
【図８】第一実施例の使用状態における配管設置構造を示す説明平面図である。
【図９】第二実施例を示す固定部を分解した説明斜視図である。
【図１０】第二実施例の瓦棒に基体を被嵌合係止し、固定部を被嵌する前の状態を示す配管係止部を省略した部分拡大説明図である。
【図１１】第二実施例の瓦棒に対する固定状態を示す配管係止部を省略した部分拡大説明図である。
【符号の説明】
１  瓦棒葺屋根
２  瓦棒
２Ａ  凹条部
３  基体
４  融雪用配管
５  配管係止部
５Ａ  係合部
６  固定部
【図１】
0003634779.tif 000002
【図２】
0003634779.tif 000003
【図３】
0003634779.tif 000004
【図４】
0003634779.tif 000005
【図５】
0003634779.tif 000006
【図６】
0003634779.tif 000007
【図７】
0003634779.tif 000008
【図８】
0003634779.tif 000009
【図９】
0003634779.tif 000010
【図１０】
0003634779.tif 000011
【図１１】
0003634779.tif 000012